(57)【要約】      （修正有）【課題】ポリ缶等の灯油を石油ストーブの石油タンクへの給油に対し、乾電池を使わず自然の原理を利用した方法で給油ができ、更に灯油が満タンに成った時点に自動的に給油を止める。【解決手段】連結式注入パイプ口Ａと、排出口Ｂ、及び上下する浮力式フロート停止位置兼空気遮断箇所を設けたパイプ内に、浮力で上下する浮力式フロートＰを装備した２本のパイプを、石油タンクの口と合う大きさのネジ式キャップＦとパッキン等Ｅで作成した器具を石油タンクに装着し、注入口より石油が注入されると、石油が満タンに成るに従い排出パイプ内に有する浮力で上下する浮力式フロートＰが石油上昇と共に上昇し、排出停止位置で排出空気が遮断され、石油タンク内の空気圧が上昇しポリ缶からの落差圧と石油タンク内の圧力が同等になり、注入が止まる。【選択図】図１
2015210069.tif 000002
【特許請求の範囲】
【請求項１】
石油ストーブ等の石油タンクの口径に合う大きさのキャップを軟鉄、鋼鉄、アルミニューム、ステンレス、チタン合金、真鍮、銅等の何れかで作り、注入パイプ、排出パイプ、プラスチックパッキン、浮力式フロート、シャフト、シャフト先端の目印玉を強化プラスチック、アクリル、ポリエステル、ポリエチレン、ポリプロピレン、ポリスチレン、ＦＲＰ、塩化ビニール等の物で作り、パッキン等を（天然ゴム）ＮＲ、（合成ゴム）ＳＢＲ、ＢＲ、ＥＰＲ、ＮＢＲ、シリコン樹脂等の物でキャップ部分の物を円形板、浮力式フロートの円錐形部分の上部と下部に円錐形のパッキンを用い作られた器具
【請求項２】
器具全体のゴムパッキン、プラスチックパッキン以外のキャップ、注入パイプ、排出パイプ、浮力式フロート等の部分を軟鉄、鋼鉄、アルミニューム、ステンレス、チタン合金、真鍮、銅等で作られた器具
【請求項３】
キャップと注入パイプと排出パイプとで構成された器具の排出パイプは中央部を細身にし、細身部分より上下を円錐形にし、円錐形の上下の大きな口径部分より上下を円筒形にした下部を空気又は流動物が自由に流動出来る様に円形、四角形、長方形、菱形等の網目に穴を開け、更にパイプ内部に浮力式フロートを装備し、浮力式フロートの浮力によって空気、流動物等を停止する構造に作られた器具
【請求項４】
排出パイプから排出物を止める為の浮力式フロートの円錐形部分の上部のパッキン厚は０．１〜１．５ｍｍの間による厚みにし、下部のパッキンは断面を高さを４〜１０ｍｍ下幅を１〜２．５ｍｍの間による直角三角形に加工した円錐形パッキンを上下２箇所に装備し、下部のパッキン下と平行して小角を設けた浮力式フロートを排出パイプ内に装備した器具
【請求項５】
石油タンクに器具を装着の時にキャップを回し、ねじ止めする際に円形プラスチックパッキン板と注入パイプ、排出パイプを組立てた部分とキャップが一緒に回らない様にキャップ上部の平面の穴を石油タンクの注入口外径より２ｍｍ〜６ｍｍの間で小さく穴を開け縦割り断面を上下逆Ｌ字状に加工し、石油タンクの注入口外径より１ｍｍ〜５ｍｍの間で直径を小さくした円形プラスチックパッキン板と注入パイプ、排出パイプを組立てた１枚と注入パイプ、排出パイプの穴を設けた１枚とキャップ上面の横板部分を上下２枚で挟み合わせて作られた器具
【請求項６】
注入パイプのキャップ平面より上部に回転式又はバルブ式、開閉弁を有した器具を装着した自動給油停止器具
【発明の詳細な説明】
【技術分野】
【０００１】本発明は乾電池を使用せず自然原理を有効活用しポリ容器から落差を利用したポンプを使い石油ストーブの石油タンクへの給油に対し満タン時に自然と給油が停止し吹き零れを防ぐ、石油タンクに装着出来る器具である。
【背景技術】
【０００２】従来のポリ容器から石油タンクへ給油を行う時に、乾電池式による物と落差を利用した給油方式の物が一般的である。【０００３】しかしながら、特に高齢者が落差方式のポンプで給油を行う時、満タン状態が解らず灯油が石油タンクから溢れ出る事が多い、更に近年の物価の高騰、自然破壊が急激に進んでいる中で自然原理を利用した物を見落としているのが現状である、又環境問題が世界的に取上げられているなか不要に成った乾電池を回収し、様々な方法で処分しているが其処には高熱処理と冷却水が必要で熱と有機ガスによる環境悪化、汚水処理後の沈殿物処理等も一つの原因に成っている。
【先行技術文献】
【特許文献】
【０００４】
【特許文献１】特開２００４−１７５４３７号
【特許文献２】特開２００３−２６５７９３号
【非特許文献】
【０００５】
【非特許文献１】無
【発明の概要】
【発明が解決しようとする課題】
【０００６】本発明は以上のような従来の欠点に対し、あらゆる角度から緩和視てポリ缶等の灯油を石油ストーブの石油タンクへの給油に対し、乾電池を使わず自然の原理を利用した方法で給油ができ、更に灯油が満タンに成った時点に自動的に給油が止まる器具である。
【課題を解決するための手段】
【０００７】連結式注入パイプと排出パイプと排出パイプ中央部分に水、石油類に浮く浮力式フロートの停止位置と空気遮断を兼ねた細身箇所を設けた排出パイプ内に浮力式フロートを装備したパイプと２本のパイプを石油タンクの口径と合う大きさのネジ式キャップと石油タンクの機密保持用パッキン等で作成した器具を石油タンクに装着し注入口より石油が注入されると、石油が満タンに成るに従い、排出パイプ内に有する浮力式フロートが石油上昇と共に上昇し、排出停止位置で排出空気が遮断され石油タンク内の空気圧が上昇しポリ缶からの落差圧と石油タンク内の圧力が同等になり、注入が止まる。
【発明の効果】
【０００８】様々な方法と構造を考え試行錯誤の末に本発明器具が完成した。
ポリ容器に装備した石油ポンプの注入口と石油タンクに装着した自動給油停止器具の注入口を連結し、石油の給油を行った。
石油タンクが満タンに成った時点に目印玉が排出パイプから出て来たと同時に排出パイプ内の浮力式フロートと空気遮断構造部とで排出空気が遮断され石油タンクへの石油供給が停止した状態で数時間置き様子を見たが結果も良かった。
【図面の簡単な説明】
【０００９】
【図１】正面図  図１−１断面図  図１−２平面図  図１−３Ｖ部分平面図  図１−４Ｇ部分断面図  図１−５底部分平面図
【図２】部分拡大正面図  図２−１底部分拡大平面図  図２−２拡大正面図図  ２−３部分断面図
【図３】部分拡大正面図  図３−１部分拡大平面図  図３−２部分拡大正面図  図３−３部分拡大平面図
【図４】開閉バルブ部分箇所側面図  図４−１開閉バルブ部分箇所側面図  図４−２開閉バルブ部分箇所側面図  図４−３開閉バルブ部分箇所平面図
【発明を実施するための形態】
【００１０】図１−１のＦキャップのネジ部分の口径は石油タンクの給油口の口径に合う大きさのネジ式で装着出来る構造に加工されたＦキャップにＥパッキンとＤプラスチックパッキンとＦキャップ頭部の座金状部分を挟む様にＣ２段目プラスチックパッキンと図１のＡ注入パイプとＢ排出パイプで構成されて居る、Ｂ排出パイプの中央部分を上Ｇ″第３句点より下はＨ第１句点より中央のＷ細身部に対し円錐形に加工し排出パイプの中のＷ細身部からＨ第１区点側に排出空気遮断用Ｐ浮力式フロートが設置されているＰ浮力式フロートの円錐形部は上からＭ第１円錐形パッキン、Ｔ第２円錐形パッキンとＮ小角、下部を円筒形状部によって構成されており給油と共に石油タンク内の灯油が満タン状態に成るに従い給油前はＰ浮力式フロートのＱフロート底はＩ筒状ネット底部のＪ底プレート部分に有るがＰ浮力式フロートは給油と共に上昇し排出空気が遮断される。
【実施例１】
【００１１】図１連結式Ａ注入パイプの頭部にＸ突起を当初一箇所設け実験を行い結果は良かったが確実かつ安心生を重視し２ヶ所設けた事でポリ容器から石油ポンプの注入口と連結が拠り一層機密性が増した。
Ａ注入パイプと平行しＢ排出パイプをＦキャップとＣ２段目プラスチックパッキン、Ｆキャップ頭部の座金状部分を挟む様にＤプラスチックパッキンＥパッキンとでキャップ部分を構成し石油タンクの給油口にネジ止式に取り付ける。
Ｂ排出パイプの内部を石油タンク内の排出空気と注入物を止める為に中間部を円錐形のＷ細身部を設け、更に下部をＺ筒状ネット頭部よりＩ筒状ネット状にし、底をＹプレート付きリングとＪ底プレートで構成し空気吸排出と液体物の流入出を容易に出来る構造にしたＢ排出パイプの中にＷ細身部より下側にＰ浮力式フロートを入れる。
Ｐ浮力式フロートの上部はＯ円錐形部を設け頭部にＭ第１円錐形パッキン、下部にＴ第２円錐形パッキン更に平行してＮ小角を設け下部を円筒形状部に構成し上部のＯ円錐形部の上部のＳシャフト繋ぎ目より上にＬシャフトを設けシャフト頭部にＫ目印玉を設ける事によって給油状態が目印玉によって確認できる。
【実施例２】
【００１２】上記内容で構成された自動給油停止器具を石油タンクに装着しＡ注入パイプに石油ポンプのホースの給油口を連結し給油を行った。
給油が満タン状態に成った時にＢ排出パイプのＷ細身部とＨ第１句点から筒状ネット頭部までの部分とＢ排出パイプ内部のＰ浮力式フロートに寄って給油停止となるが、Ｐ浮力式フロートはＯ円錐形部の上部をＭ第１円錐形パッキンと下部にＴ第２円錐形パッキンと更に平行して設けたＮ小角とその下を円筒形状部で構成されている為、石油タンクが満タン状態に成るに従い浮力によってＰ浮力式フロートが上昇し石油タンク内の排出空気停止状態と共にＫ目印玉がＢ排出パイプの頭部より出て、同時に供給が停止した。
【数１】
【表１】
【産業上の利用可能性】
【００１３】本発明の自動給油停止器具はポリ容器から給油ポンプを使い石油ストーブの石油タンクの給油時に役立つ物である。
特に高齢者が増える御時世に給油時によく石油タンクから灯油が溢れ出し慌てている光景が差も冬の事例の様になっている、乾電池を装備した給油ポンプで給油するのに乾電池の蓄積電気が無くなっている事が解らず、慌てて買い求めに走る有様だが、寒いだけだと良いが、雪が積っている時に出かけ転んで怪我をする人、時には骨折で病院に入院する人も度々おきている光景を見掛け考案し本品を作り上げ、様々な人に本品を見せずに口頭にて自動で止まる器具の話をし、希望するかと尋ねると殆どの人が希望した。
【符号の説明】
【００１４】Ａ  注入パイプ        Ａ″開閉バルブ
Ｂ  排出パイプ
Ｃ  ２段目プラスチックパッキン
Ｄ  プラスチックパッキン
Ｅ  パッキン
Ｆ  キャップ
Ｇ  補強プレート    Ｇ″第３区点
Ｈ  第１区点    Ｈ″第２区点
Ｉ  筒状ネット
Ｊ  底プレート
Ｋ  目印玉
Ｌ  シャフト
Ｍ  第１円錐形パッキン    Ｍ″円錐形パッキン底
Ｎ  小角
Ｏ  円錐形部
Ｐ  浮力式フロート
Ｑ  フロート底
Ｒ  第１円錐形パッキン折区点
Ｓ  シャフト繋ぎ目
Ｔ  第２円錐形パッキン
Ｕ  ゴムパッキン
Ｖ  第１振れ止めリング    Ｖ″第２触れ止めリング
Ｗ  細身部
Ｘ  突起
Ｙ  プレート付きリング
Ｚ  筒状ネット頭部【００１５】
【図１】
2015210069.tif 000003
【図２】
2015210069.tif 000004
【図３】
2015210069.tif 000005
【図４】
2015210069.tif 000006